(57)【要約】【課題】本発明は、印刷部に搬送された記録媒体が搬送方向に対して斜めになっていることを検出可能な検出マーカを形成すると共に、記録媒体が斜めになっていることを検出すると印刷動作を行わないようにした記録媒体およびこれを用いたプリンタを提供すること。【解決手段】本発明の記録媒体１は、所望の画像を印刷可能な印画面１ａと、この印画面１ａと対向する裏面１ｂ側に形成した検出マーカ３とを備え、この検出マーカ３は、所定明るさの出射光２８ａを出射可能な用紙検出センサ２８から出射されて照射する所定のスポット径の出射光２８ａにより検出可能となっていると共に、印画面１ａに画像を印刷する時の矢印Ｄの搬送方向と平行な縦長状に形成したことを特徴とする。【選択図】　　　　図１
2004098562.tif 000002
【特許請求の範囲】
【請求項１】
所望の画像を印刷可能な印画面と、この印画面と対向する裏面側に形成した検出マーカとを備え、この検出マーカは、所定明るさの出射光を出射可能な用紙検出センサから出射されて照射する所定のスポット径の前記出射光により検出可能となっていると共に、前記印画面に前記画像を印刷する時の搬送方向と平行な縦長状に形成したことを特徴とする記録媒体。
【請求項２】
前記検出マーカの幅寸法は、前記出射光が照射する前記スポット径と同等以下に形成したことを特徴とする請求項１記録媒体。
【請求項３】
前記検出マーカは、前記用紙検出センサの前記出射光を反射可能な反射部からなることを特徴とする請求項１または２記載の記録媒体。
【請求項４】
前記検出マーカを挟んで互いに対向する部分に、前記出射光を非反射可能な一対の非反射部を形成したことを特徴とする請求項１乃至３のいずれかに記載の記録媒体。
【請求項５】
前記検出マーカは、前記搬送方向における前端部寄りで幅方向の一端部寄りの位置と、この一端部寄りの位置と対角線方向で対向する前記搬送方向における後端部寄りの位置との２箇所に形成したことを特徴とする請求項１乃至４のいずれかに記載の記録媒体。
【請求項６】
記録媒体に所望の画像を印刷可能な印刷ヘッドと、前記記録媒体の有無を検出可能な前記用紙検出センサとを備え、前記記録媒体は請求項１乃至５のいずれかに記載のものからなり、前記印刷部に搬送した前記記録媒体の前記検出マーカを前記用紙検出センサが検出すると、前記印刷ヘッドが動作して前記記録媒体に所望の画像を印刷するようにしたことを特徴とするプリンタ。
【請求項７】
前記用紙検出センサの前記出射光が前記非反射部に位置すると、前記印刷部から前記記録媒体を一旦抜き取り、この抜き取った前記記録媒体を再度前記印刷部に搬送するようにしたことを特徴とする請求項６記載のプリンタ。
【発明の詳細な説明】
【０００１】
【発明の属する技術分野】
本発明は記録媒体およびこれを用いたプリンタに係わり、特に、印刷部に搬送した記録媒体の幅方向の位置ズレを検出可能な記録媒体およびこれを用いたプリンタに関する。
【０００２】
【従来の技術】
従来の記録媒体およびプリンタを図７で説明すると、従来の記録媒体２１は、表面が光沢処理された印画紙等からなり、このような従来の記録媒体２１の裏面側には、前端部２１ａ寄りで寸法Ａの幅方向の一端部２１ｂ寄りの位置に、矩形状の検出マーカ２２が形成されている。
この検出マーカ２２は、後述するプリンタ２５側の用紙検出検出センサ２８からの出射光を反射可能な、所定の大きさに形成した銀色のラベル等が貼付されている。
【０００３】
このような従来の記録媒体２１に画像印刷するためのプリンタ２５は、表面を平坦状に形成した用紙搬送台２６が配設され、この用紙搬送台２６の図示右寄りの位置には、寸法Ｂの間隔を挟んで図示上下方向に互いに対向する一対の用紙ガイド２６ａ、２６ａが突出形成されている。
この用紙ガイド２６ａの長さは、記録媒体２１の長寸法の略１／３程度に形成されている。
また、互いに対向する用紙ガイド２６ａ、２６ａの間隔寸法Ｂと、記録媒体２１の幅寸法Ａとは、Ａ≦Ｂの関係になっている。そのために、幅寸法Ａの記録媒体２１は、間隔寸法Ｂの用紙ガイド２６ａ間を、無理なくスムーズに矢印Ｃ方向に搬送可能になっている。
【０００４】
また、用紙搬送台２６の図示左端部寄りには、用紙搬送台２６の表面に所定の付勢力で圧接する回転駆動可能な紙送りローラ２７が配設されている。
また、紙送りローラ２７近傍で図示上部寄りの用紙搬送台２６には、記録媒体２１の検出マーカ２２を検出可能な光センサからなる用紙検出センサ２８が配設されている。
前記検出マーカ２２は、用紙検出センサ２８からの出射光２８ａが照射するスポット径より大きく形成されて、記録媒体２１を矢印Ｃ方向の搬送方向と平行に搬送すると、検出マーカ２２の中央部である基準位置を出射光２８ａが照射可能になっている。
【０００５】
そして、用紙検出センサ２８が出射する出射光２８ａが検出マーカ２２を照射すると、出射光２８ａが検出カーカ２２で反射され、この反射光を用紙検出センサ２８が検出することにより、記録媒体２１の有無を検出可能になっている。
また、用紙ガイド２６ａと用紙検出センサ２８との間の用紙搬送台２６の表面から所定寸法上方には、記録媒体２１の表面に所望の画像を印刷可能な印刷部を構成する印刷ヘッド（図示せず）が配設されて、この印刷ヘッドの動作で記録媒体２１の表面に所望の画像を印刷可能になっている。
【０００６】
このようなプリンタ２５で従来の記録媒体２１に所望の画像を印刷する印刷動作を説明すると、プリンタ２５外部に配置している印刷開始ボタン（図示せず）等を操作し、その後、検出マーカ２２を裏面側にした１枚の記録媒体２１を、用紙ガイド２６ａ、２６ａ間に位置させて印刷ヘッドが配設された印刷部方向に搬送する。
すると、記録媒体２１の前端部２１ａが用紙搬送台２６に圧接する紙送りローラ２７に当接して、記録媒体２１の頭出しが行われると共に、用紙検出センサ２８の出射光２８ａが検出マーカ２２を検出する。
【０００７】
この用紙検出センサ２８が検出マーカ２２を検出すると、印刷ヘッドが動作して、記録媒体２１に画像印刷が開始されると共に、紙送りローラ２７の回転で記録媒体２１が矢印Ｃ方向に搬送されて、１枚の記録媒体２１に所望の画像を印刷することができる。
このような従来の記録媒体２１およびこれを用いたプリンタ２５は、用紙検出センサ２８が検出マーカ２２を検出しないと、印刷動作が開始されないので、記録媒体２１を印刷部に搬送しない状態で、誤って印刷開始ボタンを押したとしても、印刷ヘッドが動作せず、無駄なインク消費を防止することができる。
【０００８】
また、従来の記録媒体２１は、検出マーカ２２が形成されてなくて、裏面全面が白色の素地を露出させたものもあり、このような検出マーカ２２がない記録媒体２１は、用紙検出センサ２８の出射光２８ａの明るさを明るくすることにより、記録媒体２１の白色の素地から反射する反射光を用紙検出センサ２８が検出して、記録媒体２１の有無を検出可能になっている。
【０００９】
【発明が解決しようとする課題】
しかし、前述したような従来の記録媒体およびプリンタは、記録媒体２１の幅寸法Ａのバラツキ等で、用紙ガイド２６ａ、２６ａと記録媒体２１とにガタが発生して、図８に示すように、記録媒体２１が斜めになった状態で搬送されることがある。このような記録媒体２１が斜めになっても、従来の記録媒体２１の検出マーカ２２は、出射光２８ａのスポット径より大きな矩形状に形成されているために、図９の２点鎖線で示すように、出射光２８ａが基準位置からズレた位置を照射しても、正常に反射して検出マーカ２２が検出されて印刷ヘッドが動作するようになっている。
【００１０】
そのために、記録媒体２１が斜めになった状態でも画像印刷が行われて、記録媒体２１に印刷した画像が斜めになるおそれがあった。
また、プリンタ２５が熱転写プリンタの場合だと、カラー印刷時に、記録媒体２１を往復搬送してインクリボン（図示せず）のカラーインクを重ね印刷するようになっているが、往復搬送時に記録媒体２１が用紙ガイド２６ａに引っ掛かって紙ジャム等が発生するおそれがあった。
【００１１】
本発明は、前述したような点に鑑みてなされたもので、印刷部に搬送された記録媒体が搬送方向に対して斜めになっていることを検出可能な検出マーカを形成すると共に、記録媒体が斜めになっていることを検出すると印刷動作を行わないようにした記録媒体およびこれを用いたプリンタを提供することを目的とする。
【００１２】
【課題を解決するための手段】
前記課題を解決するための第１の手段として本発明の記録媒体は、所望の画像を印刷可能な印画面と、この印画面と対向する裏面側に形成した検出マーカとを備え、この検出マーカは、所定明るさの出射光を出射可能な用紙検出センサから出射されて照射する所定のスポット径の前記出射光により検出可能となっていると共に、前記印画面に前記画像を印刷する時の搬送方向と平行な縦長状に形成したことを特徴とする。
【００１３】
また、前記課題を解決するための第２の手段として、前記検出マーカの幅寸法は、前記出射光が照射する前記スポット径と同等以下に形成したことを特徴とする。
【００１４】
また、前記課題を解決するための第３の手段として、前記検出マーカは、前記用紙検出センサの前記出射光を反射可能な反射部からなることを特徴とする。
【００１５】
また、前記課題を解決するための第４の手段として、前記検出マーカを挟んで互いに対向する部分に、前記出射光を非反射可能な一対の非反射部を形成したことを特徴とする。
【００１６】
また、前記課題を解決するための第５の手段として、前記検出マーカは、前記搬送方向における前端部寄りで幅方向の一端部寄りの位置と、この一端部寄りの位置と対角線方向で対向する前記搬送方向における後端部寄りの位置との２箇所に形成したことを特徴とする。
【００１７】
また、前記課題を解決するための第５の手段として本発明の記録媒体を用いたプリンタは、記録媒体に所望の画像を印刷可能な印刷ヘッドと、前記記録媒体の有無を検出可能な前記用紙検出センサとを備え、前記記録媒体は請求項１乃至５のいずれかに記載のものからなり、前記印刷部に搬送した前記記録媒体の前記検出マーカを前記用紙検出センサが検出すると、前記印刷ヘッドが動作して前記記録媒体に所望の画像を印刷するようにしたことを特徴とする。
【００１８】
また、前記課題を解決するための第６の手段として、前記用紙検出センサの前記出射光が前記非反射部に位置すると、前記印刷部から前記記録媒体を一旦抜き取り、この抜き取った前記記録媒体を再度前記印刷部に搬送するようにしたことを特徴とする。
【００１９】
【発明の実施の形態】
以下、本発明の記録媒体およびこれを用いたプリンタの一実施の形態を、図１〜図６に基づいて説明する。図１は本発明の記録媒体およびプリンタの平面図であり、図２は、本発明に関する記録媒体の側面図であり、図３は本発明に係わる検出マーカを説明する要部拡大図であり、図４、５は記録媒体が斜めに搬送されたときの検出マーカを説明する図であり、図６は本発明の記録媒体のその他の実施の形態を説明する平面図である。
【００２０】
まず、本発明の記録媒体１は、例えばデジタルカメラ等で撮影したカラー画像を印刷可能な、表面が光沢処理された印画紙等からなり、図１、２に示すように、一方の面である上面に、光沢処理されて所望の画像を印刷可能な印画面１ａと、この印画面１ａと対向する裏面１ｂ側に、一対の非反射部２、２に挟まれた位置に、後述する用紙検出センサ８の出射光８ａを反射可能な検出マーカ３が形成されている。
前記非反射部２は、例えば黒色インク等からなり、検出マーカ３は、記録媒体１の白色の素地が露出されて、後述する用紙検出センサ８の出射光８ａを反射可能な反射部からなっている。
【００２１】
前記検出マーカ３は、記録媒体１の矢印Ｄの搬送方向における前端部１ｃ寄りの位置で幅方向（幅寸法Ｅ）の一端部１ｄ寄りの位置に、矢印Ｄの搬送方向と平行な縦長状で幅寸法Ｆで形成されている。
また、一対の非反射部２、２は、図３に示すように、幅寸法Ｆの検出マーカ３より幅広に形成されている。
【００２２】
また、記録媒体１の印画面１ａに所望の画像を印刷可能なプリンタ２５は、従来の技術で説明したものと同じ構成なので、従来のプリンタ２５と同じ番号を付して説明する。まず、本発明の記録媒体１を用いたプリンタ２５は、記録媒体１を載置可能な用紙搬送台２６が形成され、この用紙搬送台２６の表面に一対の用紙ガイド２６ａ、２６ａが突出形成されている。
また、用紙ガイド２６ａ、２６ａ間の間隔寸法Ｂと、記録媒体１の幅寸法Ｅとは、Ｅ≦Ｂの関係になっている。
そのために、幅寸法Ｅの記録媒体１は、寸法Ｂの用紙ガイド２６ａ間をスムーズに無理なく矢印Ｄ方向に搬送可能になっている。
【００２３】
また、用紙搬送台２６には、用紙搬送台２６の表面に所定の付勢力で圧接する紙送りローラ２７が配設され、この紙送りローラ２７の一端部には、駆動モータ（図示せず）に連結された駆動ギア２７ａが固着されている。
また、紙送りローラ２７近傍の用紙搬送台２６には、記録媒体１の検出マーカ３を検出可能な光センサからなる用紙検出センサ２８が配設されている。
この用紙検出センサ２８は、所定の明るさの出射光２８ａを出射可能になっており、出射光２８ａは所定のスポット径で検出マーカ３に照射するようになっている。
【００２４】
また、検出マーカ３の幅寸法Ｆは、用紙検出センサ２８から出射されて検出マーカ３を照射する出射光２８ａのスポット径と同等以下に形成されている。
そして、印刷部に搬送されてきた記録媒体１の検出マーカ３に、用紙検出センサ２８の出射光２８ａを照射することにより、出射光２８ａが検出マーカ３で反射され、この反射光を用紙検出センサ２８が検出して記録媒体１の有無を検出可能になっている。
【００２５】
また、印刷部に搬送された記録媒体１が斜めになっていると、検出マーカ３が出射光２８ａから位置ズレして、出射光２８ａの反射率が低くなり、用紙検出センサ２８が検出マーカ３を検出不可となるようになっている。
また、用紙搬送台２６から所定寸法離れた上方には、記録媒体１の印画面１ａに所望の画像を印刷可能な印刷ヘッド（図示せず）が配設され、この印刷ヘッドの配設部分と用紙搬送台２６との間が印刷部となっている。
【００２６】
このようなプリンタ２５によって本発明の記録媒体１の印刷面に１ａに所望の画像を印刷する印刷動作を説明すると、まず、プリンタ２５側の印刷開始ボタン（図示せず）を操作するとプリンタ２５は印刷待機状態となる。
この印刷待機状態のプリンタ２５の用紙搬送台２６上に、印画面１ａを上面側にした記録媒体１を載置して、用紙ガイド２６ａ、２６ａ間に搬送する。
すると、前端部１ｃが用紙搬送台２６に圧接する紙送りローラ２７に当接して記録媒体２１の頭出しが行われる。
同時に、用紙検出センサ２８の出射光２８ａが検出マーカ３を照射することにより、出射光２８ａが検出マーカ３で反射されて、印刷部に位置した記録媒体１が検出される。
【００２７】
この時、検出マーカ３の幅寸法Ｆは、用紙検出センサ２８の出射光２８ａのスポット径と同等以下になっているので、記録媒体１が矢印Ｄの搬送方向と平行に搬送された場合は、図３に示すように、出射光２８ａが照射するスポット径の図示上下の円弧部が非反射部２に若干重なった状態になる。
そして、用紙検出センサ２８が、検出マーク３を検出して記録媒体１が印刷部に位置したことをを検出すると、印字ヘッド（図示せず）を動作させて、記録媒体１に画像印刷が開始されると共に、紙送りローラ２７の回転で記録媒体１が矢印Ｄ方向に搬送されて、本発明の記録媒体１の印画面１ａに所望の画像を印刷することができる。
【００２８】
このような本発明の記録媒体１およびこれを用いたプリンタ２５は、記録媒体１の幅寸法Ｅのバラツキにより、一対の用紙ガイド２６ａ、２６ａ間を搬送する記録媒体１が斜めになることがある。
このような印刷部に搬送した記録媒体１が、例えば図４に示すように、前端部１ｃが矢印Ｇの下向きの斜めになると、検出マーカ３が位置ズレして、出射光２８ａが図示上方の非反射部２を照射するので出射光２８ａは反射しない。
そのために、用紙検出センサ２８が記録媒体１を検出しないので、印刷ヘッドが動作せず印刷動作が行われない。
【００２９】
また、印刷部に搬送した記録媒体１が、例えば図５に示すように、記録媒体１の前端部１ｃが矢印Ｈの上向きに斜めになると、出射光２８ａが図示下方の非反射部２を照射するので出射光２８ａは反射されず、印刷動作が行われない。
このような、印刷部に記録媒体１を印刷部に搬送しても印刷ヘッドが動作しないときは、記録媒体１を印刷部から一旦抜き取り、この抜き取った記録媒体１を再度印刷部に搬送することにより、図３に示すように、出射光２８ａが検出マーカ３を照射し、検出マーカ３からの反射光を用紙検出センサ２８が検出して、印刷ヘッドが動作する。そして、印刷部に搬送された記録媒体１に印刷動作を開始可能になっている。
【００３０】
また、記録媒体１のその他の実施の形態として、図６に示すように、検出マーカ３は、矢印Ｄの搬送方向における前端部１ｃ寄りだけでなく、この前端部１ｃ寄りの検出マーカ３と対角線方向で対向する後端部１ｅ寄りの位置の２箇所に検出マーカ３を形成したものも良い。
このような２箇所に検出マーカ３を形成した記録媒体１は、前端部１ｃ、または後端部１ｅの両方向から印刷部に搬送することができ、印刷時の作業性が良い。
【００３１】
また、本発明の実施の形態では、検出マーカ３を記録媒体１の白色の素地を露出させたもので説明したが、記録媒体１の裏面１ｂ全面を黒色にして、検出マーカ３を、照射光２８ａが反射可能な銀色のラベル等を貼付したものでも良い。
即ち、検出マーカ３は、用紙検出センサ８の出射光２８ａを反射可能な反射部からなるものであれば良い。
【００３２】
また、本発明の実施の形態の記録媒体１は、印画面１ａが光沢処理されたもので説明したが、透明なＯＨＰ用紙でも良い。記録媒体１が透明なＯＨＰ用紙の場合は、検出マーカ３を光が透過して反射せず、この検出マーカ３を挟んで互いに対向する位置に反射部（図示せず）を形成したものであれば良い。あるいは、ＯＨＰ用紙の裏面の検出マーカ３を、光が反射可能な銀色のシートを貼付しただけのものでも良い。
即ち、検出マーカ３は、用紙検出センサ８から出射される所定のスポット径の出射光により検出可能としたものであれば良い。
【００３３】
【発明の効果】
以上述べたように、本発明の記録媒体の検出マーカは、出射光を出射可能な用紙検出センサから出射される所定のスポット径の前記出射光により検出可能とすると共に、前記印画面に画像を印刷する時の搬送方向と平行な縦長状に形成したので、印刷部に搬送した記録媒体が斜めになっている場合は、検出マーカが検出されないで印刷ヘッドが動作しない。そのために、記録媒体に印刷する画像が斜めになることが無く、高品質な画像印刷が可能な記録媒体を提供できる。
【００３４】
また、検出マーカの幅寸法は、出射光が照射するスポット径と同等以下に形成したので、印刷部に搬送した記録媒体が斜めになったときは、検出マーカが出射光から位置ズレして、印刷ヘッドが動作しないので、印刷する画像が斜めになるのを防止することができる。
【００３５】
また、検出マーカは、用紙検出センサの出射光を反射可能な反射部からなるので、検出マーカを確実に検出することができる。
【００３６】
また、検出マーカを挟んで互いに対向する部分に、出射光を非反射可能な一対の非反射部を形成したので、印刷部に搬送した記録媒体が斜めになった場合に、検出マーカから位置ズレした出射光の反射を非反射部で確実におさえることができる。
【００３７】
また、検出マーカは、搬送方向における前部寄りで幅方向の一端部寄りの位置と、この一端部寄りの位置と対角線方向で対向する搬送方向における後端部寄りの位置との２箇所に形成したので、記録媒体の前後どちらからでも印刷部に搬送することができ、印刷作業が容易となる。
【００３８】
また、本発明の記録媒体を用いたプリンタは、印刷部に搬送した記録媒体の検出マーカを用紙検出センサが検出すると、印刷ヘッドが動作して記録媒体に所望の画像を印刷するようにしたので、印刷部に搬送した記録媒体が斜めになって、用紙検出センサが検出マーカを検出しないときは、画像が斜めになるような印刷不良の発生を防止することができる。
【００３９】
また、用紙検出センサの出射光が非反射部に位置すると、印刷部から記録媒体を一旦抜き取り、この抜き取った記録媒体を再度印刷部に搬送するようにしたので、画像が斜めになるような印刷不良の発生を防止することができる。
【図面の簡単な説明】
【図１】本発明の記録媒体およびこれを用いたプリンタの平面図である。
【図２】本発明に関する記録媒体の側面図である。
【図３】本発明に係わる検出マーカを説明する要部拡大図である。
【図４】記録媒体が斜めに搬送されたときの検出マーカの位置ズレを説明する図である。
【図５】記録媒体が斜めに搬送されたときの検出マーカの位置ズレを説明する図である。
【図６】本発明の記録媒体のその他の実施の形態を説明する平面図である。
【図７】従来の記録媒体およびこれを用いたプリンタの平面図である。
【図８】従来の記録媒体が斜めに搬送されたときを説明する平面図である。
【図９】従来の記録媒体の検出マーカとプリンタ側の検出センサの照射光の位置ズレを説明する図である。
【符号の説明】
１　記録媒体
１ａ　印画面
１ｂ　裏面
１ｃ　前端部
１ｄ　一端部
１ｅ　後端部
２　非反射部
３　検出マーカ
２５　プリンタ
２６　用紙搬送台
２６ａ　用紙ガイド
２７　紙送りローラ
２８　用紙検出センサ
２８ａ　出射光
【図１】
2004098562.tif 000003
【図２】
2004098562.tif 000004
【図３】
2004098562.tif 000005
【図４】
2004098562.tif 000006
【図５】
2004098562.tif 000007
【図６】
2004098562.tif 000008
【図７】
2004098562.tif 000009
【図８】
2004098562.tif 000010
【図９】
2004098562.tif 000011